(57)【要約】【課題】カップ式自動販売機の塩素発生装置に関して、適正な塩素濃度との誤差が大きいことによる商品販売機会損失回避を図る。【解決手段】主制御部１と、製氷機ポンプ２の通電時間を計数する製氷機ポンプタイマー３と、そのデータから塩素発生器の通電時間を記憶する製氷機用通電時間記憶手段４と、温水タンクポンプ５の通電時間を計数する温水タンクポンプタイマー６と、そのデータから塩素発生器の通電時間を記憶する温水タンク用通電時間記憶手段７と塩素発生器の通電時間を記憶する塩素発生器通電時間記憶手段８と、演算制御部９ａとを備え、製氷機ポンプタイマー３および温水タンクポンプタイマー６にて一定時間が経過した場合、製氷機用通電時間記憶手段４および温水タンク用通電時間記憶手段７により塩素発生器通電時間を決定し、塩素発生器通電時間記憶手段８に記憶させることで、適正な塩素濃度を得ることができ、商品販売機会損失を回避できる。【選択図】図１
2005115734.tif 000002
【特許請求の範囲】
【請求項１】
カップ式自動販売機全体を制御する主制御部と、製氷機に水を給水する製氷機ポンプと、前記製氷機ポンプの通電時間を計数する製氷機ポンプタイマーと、前記製氷機ポンプタイマーにて計数した一定時間毎の塩素発生器通電時間を記憶する製氷機用通電時間記憶手段と、温水タンクに水を給水する温水タンクポンプと、前記温水タンクポンプの通電時間を計数する温水タンクポンプタイマーと、前記温水タンクポンプタイマーにて計数した一定時間毎の塩素発生器通電時間を記憶する温水タンク用通電時間記憶手段と、塩素発生器の通電時間を記憶する塩素発生器通電時間記憶手段と、前記主制御部と前記製氷機ポンプと前記製氷機ポンプタイマーと前記製氷機用通電時間記憶手段と前記温水タンクポンプと前記温水タンクポンプタイマーと前記温水タンク用通電時間記憶手段と前記塩素発生器通電時間記憶手段に接続された演算制御部を備え、前記演算制御部は、前記製氷機ポンプタイマーにて一定時間が経過した場合には、その一定時間毎の前記製氷機用通電時間記憶手段のデータ、もしくは前記温水タンクポンプタイマーにて一定時間が経過した場合には、その一定時間毎の前記温水タンク用通電時間記憶手段のデータの少なくとも一方のデータにより、塩素発生器の通電時間を補正し、前記塩素発生器通電時間記憶手段に記憶することを特徴とした自動販売機の塩素発生装置。
【請求項２】
カップ式自動販売機全体を制御する主制御部と、製氷機に水を給水する製氷機ポンプと、前記製氷機ポンプに通電される電流値を検知する製氷機用電流値検知手段と、前記製氷機用電流値記憶手段にて取得したデータ毎の塩素発生器に流れる電流値を記憶する製氷機用電流値記憶手段と、温水タンクに水を給水する温水タンクポンプと、前記温水タンクポンプに通電される電流値を検知する温水タンク用電流値検知手段と、前記温水タンク用電流値検知手段にて取得したデータ毎の塩素発生器に流れる電流値を記憶する温水タンク用電流値記憶手段と、塩素発生器に流れる電流値を記憶する塩素発生器電流値記憶手段と、前記主制御部と前記製氷機ポンプと前記製氷機用電流値検知手段と前記製氷機用電流値記憶手段と前記温水タンクポンプと前記温水タンク用電流値検知手段と前記温水タンク用電流値記憶手段と前記塩素発生器電流値記憶手段に接続された演算制御部を備え、前記演算制御部は、前記製氷機用電流値検知手段にて一定の電流が流れた場合には、前記製氷機用電流値記憶手段のデータ、もしくは前記温水タンク用電流値検知手段にて一定の電流が流れた場合には、前記温水タンク用電流値記憶手段のデータの少なくとも一方のデータにより、塩素発生器に流れる電流値を補正し、前記塩素発生器電流値記憶手段に記憶することを特徴とした自動販売機の塩素発生装置。
【請求項３】
オペレーターが製氷機ポンプおよび温水タンクポンプの流量レベルを設定できるポンプ流量設定手段を備え、前記演算制御部は、前記ポンプ流量設定手段のデータを基に、塩素発生器の通電時間を補正し、前記塩素発生器通電時間記憶手段に記憶する請求項１に記載の自動販売機の塩素発生装置。
【請求項４】
オペレーターが製氷機ポンプおよび温水タンクポンプの流量レベルを設定できるポンプ流量設定手段を備え、前記演算制御部は、前記ポンプ流量設定手段のデータを基に、塩素発生器に流れる電流値を補正し、前記塩素発生器電流値記憶手段に記憶する請求項２に記載の自動販売機の塩素発生装置。
【請求項５】
製氷機および温水タンクに給水された水の量を検知するポンプ流量検知手段を備え、前記演算制御部は、前記ポンプ流量検知手段のデータを基に、塩素発生器の通電時間を補正し、前記塩素発生器通電時間記憶手段に記憶する請求項３に記載の自動販売機の塩素発生装置。
【請求項６】
製氷機および温水タンクに給水された水の量を検知するポンプ流量検知手段を備え、前記演算制御部は、前記ポンプ流量検知手段のデータを基に、塩素発生器に流れる電流値を補正し、前記塩素発生器電流値記憶手段に記憶する請求項４に記載の自動販売機の塩素発生装置。
【発明の詳細な説明】
【技術分野】
【０００１】
本発明は、自動販売機における塩素発生装置に関するものである。
【背景技術】
【０００２】
従来の自動販売機における塩素発生装置には、飲料の販売量データに基づいて、塩素発生器の通電時間を補正する装置について開示したもの（例えば、特許文献１参照）がある。
【特許文献１】特開平１０−２２６９３８号公報
【発明の開示】
【発明が解決しようとする課題】
【０００３】
しかしながら、前記従来の構成では、単に飲料の販売量を検知して塩素発生器の通電時間を補正する自動販売機の塩素発生装置であり、給水ポンプや機械の個体差等により誤差が大きく、塩素濃度が適正でない場合が多く、商品販売機会を逃してしまうという課題を有していた。
【０００４】
本発明は、前記従来の課題を解決するもので、給水ポンプの個体差等の要素を考慮し、従来と比べ、さらに適正な塩素濃度を得ることができ、商品販売機会を逃すことを少なくし、集客に繋げることを目的としている。
【課題を解決するための手段】
【０００５】
前記従来の課題を解決するために、本発明の自動販売機の塩素発生装置は、製氷機ポンプと、温水タンクポンプの通電時間を検知し、そのデータを基に塩素発生器の通電時間を補正するものである。
【発明の効果】
【０００６】
本発明の自動販売機の塩素発生装置は、製氷機ポンプと、温水タンクポンプの通電時間を検知し、そのデータを基に塩素発生器の通電時間を補正し、さらに適正な塩素濃度を得ることができる。
【発明を実施するための最良の形態】
【０００７】
請求項１に記載の発明は、カップ式自動販売機全体を制御する主制御部と、製氷機に水を給水する製氷機ポンプと、前記製氷機ポンプの通電時間を計数する製氷機ポンプタイマーと、前記製氷機ポンプタイマーにて計数した一定時間毎の塩素発生器通電時間を記憶する製氷機用通電時間記憶手段と、温水タンクに水を給水する温水タンクポンプと、前記温水タンクポンプの通電時間を計数する温水タンクポンプタイマーと、前記温水タンクポンプタイマーにて計数した一定時間毎の塩素発生器通電時間を記憶する温水タンク用通電時間記憶手段と、塩素発生器の通電時間を記憶する塩素発生器通電時間記憶手段と、前記主制御部と前記製氷機ポンプと前記製氷機ポンプタイマーと前記製氷機用通電時間記憶手段と前記温水タンクポンプと前記温水タンクポンプタイマーと前記温水タンク用通電時間記憶手段と前記塩素発生器通電時間記憶手段に接続された演算制御部からなり、前記演算制御部は、前記製氷機ポンプタイマーにて一定時間が経過した場合には、その一定時間毎の前記製氷機用通電時間記憶手段のデータ、また前記温水タンクポンプタイマーにて一定時間が経過した場合には、その一定時間毎の前記温水タンク用通電時間記憶手段のデータにより、塩素発生器の通電時間を補正し、前記塩素発生器通電時間記憶手段に記憶することで、さらに適正な塩素濃度を得ることができる。
【０００８】
請求項２に記載の発明は、カップ式自動販売機全体を制御する主制御部と、製氷機に水を給水する製氷機ポンプと、前記製氷機ポンプに通電される電流値を検知する製氷機用電流値検知手段と、前記製氷機用電流値記憶手段にて取得したデータ毎の塩素発生器に流れる電流値を記憶する製氷機用電流値記憶手段と、温水タンクに水を給水する温水タンクポンプと、前記温水タンクポンプに通電される電流値を検知する温水タンク用電流値検知手段と、前記温水タンク用電流値検知手段にて取得したデータ毎の塩素発生器に流れる電流値を記憶する温水タンク用電流値記憶手段と、塩素発生器に流れる電流値を記憶する塩素発生器電流値記憶手段と、前記主制御部と前記製氷機ポンプと前記製氷機用電流値検知手段と前記製氷機用電流値記憶手段と前記温水タンクポンプと前記温水タンク用電流値検知手段と前記温水タンク用電流値記憶手段と前記塩素発生器電流値記憶手段に接続された演算制御部からなり、前記演算制御部は、前記製氷機用電流値検知手段にて一定の電流が流れた場合には、前記製氷機用電流値記憶手段のデータ、また前記温水タンク用電流値検知手段にて一定の電流が流れた場合には、前記温水タンク用電流値記憶手段のデータにより、塩素発生器に流れる電流値を補正し、前記塩素発生器電流値記憶手段に記憶することで、製氷機ポンプおよび温水タンクポンプの個体差を考慮し、さらに適正な塩素濃度を得ることができる。
【０００９】
請求項３に記載の発明は、特に第１の発明に、オペレーターが製氷機ポンプおよび温水タンクポンプの流量レベルを設定できるポンプ流量設定手段を備え、前記演算制御部は、前記ポンプ流量設定手段のデータを基に、塩素発生器の通電時間を補正し、前記塩素発生器通電時間記憶手段に記憶することで、製氷機ポンプおよび温水タンクポンプの個体差を考慮し、さらに適正な塩素濃度を得ることができる。
【００１０】
請求項４に記載の発明は、特に第２の発明に、オペレーターが製氷機ポンプおよび温水タンクポンプの流量レベルを設定できるポンプ流量設定手段を備え、前記演算制御部は、前記ポンプ流量設定手段のデータを基に、塩素発生器に流れる電流値を補正し、前記塩素発生器電流値記憶手段に記憶することで、製氷機ポンプおよび温水タンクポンプの個体差を考慮し、さらに適正な塩素濃度を得ることができる。
【００１１】
請求項５に記載の発明は、特に第３の発明に、製氷機および温水タンクに給水された水の量を検知するポンプ流量検知手段を備え、前記演算制御部は、前記ポンプ流量検知手段のデータを基に、塩素発生器の通電時間を補正し、前記塩素発生器通電時間記憶手段に記憶することで、実際の製氷機ポンプおよび温水タンクポンプに流れる流量を考慮し、さらに適正な塩素濃度を得ることができる。
【００１２】
請求項６に記載の発明は、特に第４の発明に、製氷機および温水タンクに給水された水の量を検知するポンプ流量検知手段を備え、前記演算制御部は、前記ポンプ流量検知手段のデータを基に、塩素発生器に流れる電流値を補正し、前記塩素発生器電流値記憶手段に記憶することで、実際の製氷機ポンプおよび温水タンクポンプに流れる流量を考慮し、さらに適正な塩素濃度を得ることができる。
【００１３】
（実施の形態１）
図１は本発明の実施の形態１による自動販売機の塩素発生装置の機能ブロック図である。図２は、同実施の形態の動作を示すフローチャートである。図１において、主制御部１はカップ式自動販売機全体を制御し、製氷機ポンプ２は製氷機に水を給水する。製氷機ポンプタイマー３は製氷機ポンプ２の通電時間を計数し、製氷機用通電時間記憶手段４は製氷機ポンプタイマー３にて計数した一定時間毎の塩素発生器通電時間を記憶する。温水タンクポンプ５は温水タンクに水を給水する。温水タンクポンプタイマー６は温水タンクポンプ５の通電時間を計数し、温水タンク用通電時間記憶手段７は温水タンクポンプタイマー６にて計数した一定時間毎の塩素発生器通電時間を記憶する。塩素発生器通電時間記憶手段８は塩素発生器の通電時間を記憶する。演算制御部９ａは製氷機ポンプタイマー３および温水ポンプタイマー６にて一定時間が経過した場合、製氷機用通電時間記憶手段４および温水タンク用通電時間記憶手段７のデータにより、塩素発生器の通電時間を決定し塩素発生器通電時間記憶手段８に記憶する。
【００１４】
以上のように構成されたカップ式自動販売機の貯氷量演算装置について、以下その動作を説明する。
【００１５】
製氷機ポンプタイマー３および温水タンクポンプタイマー６にて一定時間が経過したかどうかを判別し、一定時間が経過していなければ終了、経過していれば、製氷機用通電時間記憶手段４および温水タンク用通電時間記憶手段７のデータにより製氷機用通電時間および温水タンク用通電時間を決定する（ＳＴＥＰ１）。次に、基準通電時間に、製氷機用通電時間と温水タンク用通電時間を加えたデータを塩素発生器通電時間記憶手段８に記憶させ（ＳＴＥＰ２）、製氷機ポンプタイマー３および温水タンクポンプタイマー６をリセットする（ＳＴＥＰ３）。
【００１６】
以上のように本実施の形態のカップ式自動販売機の塩素発生装置によれば、製氷機ポンプおよび温水タンクポンプの通電時間を考慮することで、さらに適正な塩素濃度を得ることができる。
【００１７】
（実施の形態２）
図３は本発明の実施の形態２による自動販売機の塩素発生装置の機能ブロック図である。図４は、同実施の形態の動作を示すフローチャートである。図３において、主制御部１はカップ式自動販売機全体を制御し、製氷機ポンプ２は製氷機に水を給水する。製氷機用電流値検知手段１０により製氷機ポンプ２に通電される電流値を検知し、製氷機用電流値記憶手段１１は製氷機用電流値検知手段１０にて取得したデータ毎の塩素発生器電流値を記憶する。温水タンクポンプ５は温水タンクに水を給水する。温水タンク用電流値検知手段１２により温水タンクポンプ５に通電される電流値を検知し、温水タンク用電流値記憶手段１３は温水タンク用電流値検知手段１２にて取得したデータ毎の塩素発生器電流値を記憶する。塩素発生器電流値記憶手段１４は塩素発生器の電流値を記憶する。演算制御部９ｂは製氷機ポンプタイマー３および温水ポンプタイマー６にて一定の電流が流れた場合、製氷機用電流値記憶手段１１および温水タンク用電流値記憶手段１３のデータにより、塩素発生器の電流値を決定し塩素発生器電流値記憶手段１４に記憶する。
【００１８】
以上のように構成されたカップ式自動販売機の貯氷量演算装置について、以下その動作を説明する。
【００１９】
製氷機用電流値検知手段１０および温水タンク用電流値記憶手段１２にて一定の電流が流れたかどうかを判別し、一定の電流が流れていなければ終了、流れていれば、製氷機用電流値記憶手段１１および温水タンク用電流値記憶手段１３のデータにより製氷機用電流値および温水タンク用電流値を決定する（ＳＴＥＰ４）。次に、基準通電時間に、製氷機用電流値と温水タンク用電流値を加えたデータを塩素発生器電流値記憶手段１４に記憶させ（ＳＴＥＰ５）、製氷機用電流値検知手段１０および温水タンク用電流値記憶手段１２をリセットする（ＳＴＥＰ６）。
【００２０】
以上のように本実施の形態のカップ式自動販売機の塩素発生装置によれば、製氷機ポンプおよび温水タンクポンプの電流値を考慮することで、さらに適正な塩素濃度を得ることができる。
【００２１】
（実施の形態３）
図５は本発明の実施の形態３による自動販売機の塩素発生装置の機能ブロック図である。図６は、同実施の形態の動作を示すフローチャートである。なお実施の形態１と同一構成のものは、同一符号を付してその詳細な説明を省略する。図５において、ポンプ流量設定手段１５は給水ポンプに流れる流量レベルを設定する。演算制御部９ｃはポンプ流量設定手段１５にて流量レベルを設定し補正量を決定し、製氷機ポンプタイマー３および温水ポンプタイマー６にて一定時間が経過した場合、製氷機用通電時間記憶手段４および温水タンク用通電時間記憶手段７のデータにより、塩素発生器の通電時間を決定し塩素発生器通電時間記憶手段８に記憶する。
【００２２】
以上のように構成されたカップ式自動販売機の貯氷量演算装置について、以下その動作を説明する。
【００２３】
ポンプ流量設定手段１５にて流量レベルを設定し補正量を決定する（ＳＴＥＰ７）。製氷機ポンプタイマー３および温水タンクポンプタイマー６にて一定時間が経過したかどうかを判別し、一定時間が経過していなければ終了、経過していれば、製氷機用通電時間記憶手段４および温水タンク用通電時間記憶手段７のデータにより製氷機用通電時間および温水タンク用通電時間を決定する（ＳＴＥＰ８）。次に、基準通電時間に、製氷機用通電時間と温水タンク用通電時間、補正量を加えたデータを塩素発生器通電時間記憶手段８に記憶させ（ＳＴＥＰ９）、製氷機ポンプタイマー３および温水タンクポンプタイマー６をリセットする（ＳＴＥＰ１０）。
【００２４】
以上のように本実施の形態のカップ式自動販売機の塩素発生装置によれば、製氷機ポンプおよび温水タンクポンプの個体差を考慮することで、さらに適正な塩素濃度を得ることができる。
【００２５】
（実施の形態４）
図７は本発明の実施の形態４による自動販売機の塩素発生装置の機能ブロック図である。図８は、同実施の形態の動作を示すフローチャートである。なお実施の形態２と同一構成のものは、同一符号を付してその詳細な説明を省略する。図７において、ポンプ流量設定手段１５は給水ポンプに流れる流量レベルを設定する。演算制御部９ｄはポンプ流量設定手段１５にて流量レベルを設定し補正量を決定し、製氷機ポンプタイマー３および温水ポンプタイマー６にて一定の電流が流れた場合、製氷機用電流値記憶手段１１および温水タンク用電流値記憶手段１３のデータにより、塩素発生器の電流値を決定し塩素発生器電流値記憶手段１４に記憶する。
【００２６】
以上のように構成されたカップ式自動販売機の貯氷量演算装置について、以下その動作を説明する。
【００２７】
ポンプ流量設定手段１５にて流量レベルを設定し補正量を決定する（ＳＴＥＰ１１）。製氷機用電流値検知手段１０および温水タンク用電流値記憶手段１２にて一定の電流が流れたかどうかを判別し、一定の電流が流れていなければ終了、流れていれば、製氷機用電流値記憶手段１１および温水タンク用電流値記憶手段１３のデータにより製氷機用電流値および温水タンク用電流値を決定する（ＳＴＥＰ１２）。次に、基準通電時間に、製氷機用電流値と温水タンク用電流値、補正量を加えたデータを塩素発生器電流値記憶手段１４に記憶させ（ＳＴＥＰ１３）、製氷機用電流値検知手段１０および温水タンク用電流値記憶手段１２をリセットする（ＳＴＥＰ１４）。
【００２８】
以上のように本実施の形態のカップ式自動販売機の塩素発生装置によれば、製氷機ポンプおよび温水タンクポンプの個体差を考慮することで、さらに適正な塩素濃度を得ることができる。
【００２９】
（実施の形態５）
図９は本発明の実施の形態５による自動販売機の塩素発生装置の機能ブロック図である。図１０は、同実施の形態の動作を示すフローチャートである。なお実施の形態１および実施の形態３と同一構成のものは、同一符号を付してその詳細な説明を省略する。図９において、ポンプ流量検知手段１６は給水ポンプに流れる流量を検知する。演算制御部９ｅはポンプ流量設定手段１５にて流量レベルを設定し補正量を決定し、製氷機ポンプタイマー３および温水ポンプタイマー６にて一定時間が経過した場合、ポンプ流量設定手段１６にて流量を検知し基準通電時間を補正し、製氷機用通電時間記憶手段４および温水タンク用通電時間記憶手段７のデータにより、塩素発生器の通電時間を決定し塩素発生器通電時間記憶手段８に記憶する。
【００３０】
以上のように構成されたカップ式自動販売機の貯氷量演算装置について、以下その動作を説明する。
【００３１】
ポンプ流量設定手段１５にて流量レベルを設定し補正量を決定する（ＳＴＥＰ１５）。製氷機ポンプタイマー３および温水タンクポンプタイマー６にて一定時間が経過したかどうかを判別し、一定時間が経過していなければ終了、経過していれば、製氷機用通電時間記憶手段４および温水タンク用通電時間記憶手段７のデータにより製氷機用通電時間および温水タンク用通電時間を決定する（ＳＴＥＰ１６）。そしてポンプ流量検知手段１６により、給水ポンプに流れる流量を検知し基準通電時間を補正する（ＳＴＥＰ１７）。次に、基準通電時間に、製氷機用通電時間と温水タンク用通電時間、補正量を加えたデータを塩素発生器通電時間記憶手段８に記憶させ（ＳＴＥＰ１８）、製氷機ポンプタイマー３および温水タンクポンプタイマー６をリセットする（ＳＴＥＰ１９）。
【００３２】
以上のように本実施の形態のカップ式自動販売機の塩素発生装置によれば、実際の製氷機ポンプおよび温水タンクポンプに流れる流量を考慮することで、さらに適正な塩素濃度を得ることができる。
【００３３】
（実施の形態６）
図１１は本発明の実施の形態６による自動販売機の塩素発生装置の機能ブロック図である。図１２は、同実施の形態の動作を示すフローチャートである。なお実施の形態２および実施の形態４と同一構成のものは、同一符号を付してその詳細な説明を省略する。図１１において、ポンプ流量検知手段１６は給水ポンプに流れる流量を検知する。演算制御部９ｆはポンプ流量設定手段１５にて流量レベルを設定し補正量を決定し、製氷機ポンプタイマー３および温水ポンプタイマー６にて一定の電流が流れた場合、ポンプ流量設定手段１６にて流量を検知し基準電流値を補正し、製氷機用電流値記憶手段１１および温水タンク用電流値記憶手段１３のデータにより、塩素発生器の電流値を決定し塩素発生器電流値記憶手段１４に記憶する。
【００３４】
以上のように構成されたカップ式自動販売機の貯氷量演算装置について、以下その動作を説明する。
【００３５】
ポンプ流量設定手段１５にて流量レベルを設定し補正量を決定する（ＳＴＥＰ２０）。製氷機用電流値検知手段１０および温水タンク用電流値記憶手段１２にて一定の電流が流れたかどうかを判別し、一定の電流が流れていなければ終了、流れていれば、製氷機用電流値記憶手段１１および温水タンク用電流値記憶手段１３のデータにより製氷機用電流値および温水タンク用電流値を決定する（ＳＴＥＰ２１）。そしてポンプ流量検知手段１６により、給水ポンプに流れる流量を検知し基準電流値を補正する（ＳＴＥＰ２２）次に、基準通電時間に、製氷機用電流値と温水タンク用電流値、補正量を加えたデータを塩素発生器電流値記憶手段１４に記憶させ（ＳＴＥＰ２３）、製氷機用電流値検知手段１０および温水タンク用電流値記憶手段１２をリセットする（ＳＴＥＰ２４）。
【００３６】
以上のように本実施の形態のカップ式自動販売機の塩素発生装置によれば、実際の製氷機ポンプおよび温水タンクポンプに流れる流量を考慮することで、さらに適正な塩素濃度を得ることができる。
【産業上の利用可能性】
【００３７】
以上のように本発明にかかる自動販売機の塩素発生装置は、自動販売機に内蔵された製氷機ポンプと、温水タンクポンプの通電時間を検知し、そのデータを基に塩素発生器の通電時間を補正し、適正な塩素濃度を得ることが可能となるので、飲料用の水を一時保留する装置等に適用できる。
【図面の簡単な説明】
【００３８】
【図１】本発明の実勢の形態１における自動販売機の塩素発生装置のブロック図
【図２】本発明の実施の形態１における自動販売機の塩素発生装置の動作を示すフローチャート
【図３】本発明の実施の形態２における自動販売機の塩素発生装置のブロック図
【図４】本発明の実施の形態２における自動販売機の塩素発生装置の動作を示すフローチャート
【図５】本発明の実施の形態３における自動販売機の塩素発生装置のブロック図
【図６】本発明の実施の形態３における自動販売機の塩素発生装置の動作を示すフローチャート
【図７】本発明の実施の形態４における自動販売機の塩素発生装置のブロック図
【図８】本発明の実施の形態４における自動販売機の塩素発生装置の動作を示すフローチャート
【図９】本発明の実施の形態５における自動販売機の塩素発生装置のブロック図
【図１０】本発明の実施の形態５における自動販売機の塩素発生装置の動作を示すフローチャート
【図１１】本発明の実施の形態６における自動販売機の塩素発生装置のブロック図
【図１２】本発明の実施の形態６における自動販売機の塩素発生装置の動作を示すフローチャート
【符号の説明】
【００３９】
１    主制御部
２    製氷機ポンプ
３    製氷機ポンプタイマー
４    製氷機用通電時間記憶手段
５    温水タンクポンプ
６    温水タンクポンプタイマー
７    温水タンク用通電時間記憶手段
８    塩素発生器通電時間記憶手段
９ａ、９ｂ、９ｃ、９ｄ、９ｅ、９ｆ    演算制御部
１０    製氷機用電流値検知手段
１１    製氷機用電流値記憶手段
１２    温水タンク用電流値検知手段
１３    温水タンク用電流値記憶手段
１４    塩素発生器電流値記憶手段
１５    ポンプ流量設定手段
１６    ポンプ流量検知手段
【図１】
2005115734.tif 000003
【図２】
2005115734.tif 000004
【図３】
2005115734.tif 000005
【図４】
2005115734.tif 000006
【図５】
2005115734.tif 000007
【図６】
2005115734.tif 000008
【図７】
2005115734.tif 000009
【図８】
2005115734.tif 000010
【図９】
2005115734.tif 000011
【図１０】
2005115734.tif 000012
【図１１】
2005115734.tif 000013
【図１２】
2005115734.tif 000014